(57)【特許請求の範囲】
【請求項１】
軸筒の前端の取付孔に棒状のペン体を取り付けた筆記具であって、前記取付孔が大内径部と該大内径部の後方に連設される小内径部とを備え、前記ペン体の外面に環状のホルダーを固着し、前記ホルダーの後端より後方にペン体を突出させ、前記ホルダーの外面を前記大内径部の内面に圧入固着し、前記ホルダーより後方のペン体の外面を前記小内径部の内面に圧入固着し、前記ホルダーの外面に軸方向の溝を形成し、前記ホルダーの外面と前記大内径部の内面との間に第一の空気通路を形成し、前記小内径部の内面に軸方向の溝を形成し、前記ペン体の外面と前記小内径部の内面との間に第二の空気通路を形成し、前記第一の空気通路と前記第二の空気通路とを連通させ、前記軸筒の内部と外部とを通気可能に連通し、前記ホルダーの前端部内面に、ペン体の外面に係合する前側取付部を設け、前記ホルダーの後端部外面に、大内径部内面に圧入固着する後側取付部を設け、前記後側取付部の外面に軸方向の溝を形成し、外面に前記軸方向の溝を備えたホルダーの内面とペン体の外面との間に環状の隙間を設けたことを特徴とする筆記具。
【発明の詳細な説明】
【技術分野】
【０００１】
本発明は、筆記具に関する。詳細には、軸筒の前端の取付孔に棒状のペン体を取り付けた筆記具に関する。
【背景技術】
【０００２】
従来、この種の筆記具において、例えば、特許文献１には、ペン芯（本願のペン体に相当）を、ペン芯保持体（本願のホルダーに相当）を介して軸（本願の軸筒に相当）に取り付けた筆記具が開示されている。
【先行技術文献】
【特許文献】
【０００３】
【特許文献１】実用新案登録第２５３９２７３号公報
【発明の概要】
【発明が解決しようとする課題】
【０００４】
前記従来の筆記具は、ペン芯保持体が、軸内面の複数のリブに圧入されているため、軸の前端部の外径が太くなり、ペン芯と軸の前端部との外径の差が大きくなり、筆記具前端部の外観性が損なわれるおそれがある。また、前記従来の筆記具は、ペン芯保持具と軸内面との圧入嵌合状態が各部品の寸法ばらつきや経時変化等で緩むと、容易にペン芯が軸から脱落するおそれがある。
【０００５】
本発明は、前記従来の問題点を解決するものであって、筆記具の前端部の外観性が損なわれることがなく、且つ、各部品の寸法ばらつきや経時変化等でペン体が軸筒から脱落することを回避できる筆記具を提供しようとするものである。
【課題を解決するための手段】
【０００６】
本願発明は、軸筒２の前端の取付孔３に棒状のペン体４を取り付けた筆記具であって、前記取付孔３が大内径部３１と該大内径部３１の後方に連設される小内径部３２とを備え、前記ペン体４の外面に環状のホルダー５を固着し、前記ホルダー５の後端より後方にペン体４を突出させ、前記ホルダー５の外面を前記大内径部３１の内面に圧入固着し、前記ホルダー５より後方のペン体４外面を前記小内径部３２の内面に圧入固着し、前記ホルダー５の外面に軸方向の溝５２ａを形成し、前記ホルダー５の外面と前記大内径部３１の内面との間に第一の空気通路７を形成し、前記小内径部３２の内面に軸方向の溝３２ａを形成し、前記ペン体４の外面と前記小内径部３２の内面との間に第二の空気通路８を形成し、前記第一の空気通路７と前記第二の空気通路８とを連通させ、前記軸筒２の内部と外部とを通気可能に連通し、前記ホルダー５の前端部内面に、ペン体４の外面に係合する前側取付部５１を設け、前記ホルダー５の後端部外面に、大内径部３１内面に圧入固着する後側取付部５２を設け、前記後側取付部５２の外面に軸方向の溝５２ａを形成し、外面に前記軸方向の溝５２ａを備えたホルダー５の内面とペン体４の外面との間に環状の隙間９を設けたことを要件とする。
【０００７】
本願発明の筆記具１は、ホルダー５の外面に軸方向の溝５２ａを形成し、ホルダー５の外面と大内径部３１の内面との間に第一の空気通路７を形成し、小内径部３２の内面に軸方向の溝３２ａを形成し、ペン体４の外面と前記小内径部３２の内面との間に第二の空気通路８を形成し、第一の空気通路７と第二の空気通路８とを連通させ、軸筒２の内部と外部とを通気可能に連通したことにより、空気通路を確保するために軸筒２の前端部の内径を大きくすることが不要となり、ペン体４と軸筒２の前端部との外径の差を大きくせず、筆記具１の前端部の外観性が損なわれることがない。
【０００８】
本願発明の筆記具１は、前記ホルダー５の外面を前記大内径部３１の内面に圧入固着し、前記ホルダー５より後方のペン体４外面を前記小内径部３２の内面に圧入固着したこと（即ち、ペン体４を軸筒２に直接取り付ける部分と、ペン体４を軸筒２にホルダー５を介して取り付ける部分を備えること）により、各部品の寸法ばらつきや経時変化等でどちらか一方の取付部分の圧入嵌合状態が緩んでも、ペン体４が軸筒２から脱落することを回避できる。
【０００９】
【００１０】
本願発明の筆記具１は、前記後側取付部５２の外面に軸方向の溝５２ａを形成し、外面に前記軸方向の溝５２ａを備えたホルダー５内面とペン体４との間に環状の隙間９を設けたことにより、後側取付部５２が径方向内方に容易に変形可能となり、後側取付部５２を大内径部３１に容易に圧入嵌合させることできる。
【発明の効果】
【００１１】
本発明は、筆記具の前端部の外観性が損なわれることがなく、且つ、各部品の寸法ばらつきや経時変化等でペン体が軸筒から脱落することを回避できる。
【図面の簡単な説明】
【００１２】
【図１】本発明の実施の形態の要部拡大縦断面図である。
【図２】図１のＡ−Ａ線縦断面図である。
【図３】図１のＢ−Ｂ線縦断面図である。
【図４】本発明の実施の形態の要部縦断面図である。
【発明を実施するための形態】
【００１３】
本発明の実施の形態を図１乃至図４に示す。
本実施の形態の筆記具１は、ペン体４と、該ペン体４の外面に固着されるホルダー５と、前記ペン体４及びホルダー５が固着される軸筒２と、該軸筒２内に収容されるインキ吸蔵体６とからなる。
【００１４】
・ペン体
前記ペン体４は、棒状の繊維束の樹脂加工体または多孔質体からなる。前記ペン体４の前端は、砲弾状に研削される。前記ペン体４の前端近傍の外周面には、環状凹部４１が形成される。
【００１５】
・ホルダー
前記ホルダー５は環状の合成樹脂の成形体からなる。前記ホルダー５の前端部内周面には、環状凸部よりなる前側取付部５１が形成される。前記前側取付部５１（環状凸部）が前記ペン体４の環状凹部４１に係合される。前記ホルダー５の後端部外面には、後側取付部５２が形成されるとともに、前記ホルダー５の後端部外面には、複数本の軸方向の溝５２ａが形成される。
【００１６】
・軸筒
前記軸筒２の前端部内面には取付孔３が形成される。前記取付孔３の内面が、大内径部３１と該大内径部３１の後方に連設される小内径部３２とを備える。前記小内径部３２と前記大内径部３１との間には段部３３が形成される。前記小内径部３２には、複数本の軸方向の溝３２ａが形成される。（図１及び図２参照）
【００１７】
・インキ吸蔵体
前記インキ吸蔵体６は、繊維束加工体または多孔質体からなり、内部にインキが含浸される。前記インキ吸蔵体６の前端には、ペン体４の後端が突き刺し接続される。
【００１８】
・ペン体の取付
前記ペン体４の環状凹部４１に、前記ホルダー５の環状凸部よりなる前側取付部５１が係合される。それにより、ペン体４の前端近傍の外面にホルダー５が固着される。
【００１９】
次に、前記ペン体４及びホルダー５を軸筒２の取付孔３に挿入し、取付孔３の大内径部３１にホルダー５の後側取付部５２を圧入固着するとともに、取付孔３の小内径部３２にペン体４の外面を圧入固着する。前記ホルダー５の後端が小内径部３２と大内径部３１の間の段部３３に当接する。
【００２０】
前記ペン体４及びホルダー５が軸筒２の取付孔３に圧入固着された際、ホルダー５の後側取付部５２の外面と大内径部３１の内面との間に、後側取付部５２の外面の軸方向の溝５２ａにより、軸方向の第一の空気通路７が形成される。それと同時に、ペン体４の外面と小内径部３２の内面との間に、小内径部３２の軸方向の溝３２ａにより、軸方向の第二の空気通路８が形成される。前記第一の空気通路７と第二の空気通路８とが、大内径部３１と小内径部３２の間の段部３３において連通される。
【００２１】
また、前記後側取付部５２が位置するホルダー５の内面とペン体４の外面との間に環状の隙間９が設けられる。
【００２２】
本実施の形態の筆記具１は、取付孔３が大内径部３１と該大内径部３１の後方に連設される小内径部３２とを備え、ペン体４の外面に環状のホルダー５を固着し、前記ホルダー５の後端より後方にペン体４を突出させ、前記ホルダー５の外面を前記大内径部３１の内面に圧入固着し、前記ホルダー５より後方のペン体４外面を前記小内径部３２の内面に圧入固着し、前記ホルダー５の外面に軸方向の溝５２ａを形成し、前記ホルダー５の外面と前記大内径部３１の内面との間に第一の空気通路７を形成し、前記小内径部３２の内面に軸方向の溝３２ａを形成し、前記ペン体４の外面と前記小内径部３２の内面との間に第二の空気通路８を形成し、前記第一の空気通路７と前記第二の空気通路８とを連通させ、前記軸筒２の内部と外部とを通気可能に連通したことにより、筆記具の前端部の外観性が損なわれることがなく、且つ、各部品の寸法ばらつきや経時変化等でペン体４が軸筒２から脱落することを回避できる。
【００２３】
また、本実施の形態の筆記具１は、後側取付部５２が位置するホルダー５の内面とペン体４の外面との間に環状の隙間９を設けたことにより、後側取付部５２が径方向内方に容易に変形可能となり、後側取付部５２を大内径部３１に容易に圧入嵌合させることできる。
【符号の説明】
【００２４】
１  筆記具
２  軸筒
３  取付孔
３１  大内径部
３２  小内径部
３２ａ  軸方向の溝
３３  段部                  
４  ペン体
４１  環状凹部
５  ホルダー
５１  前側取付部
５２  後側取付部
５２ａ  軸方向の溝
６  インキ吸蔵体
７  第一の空気通路
８  第二の空気通路
９  環状の隙間
【図１】
0005653718.tif 000002
【図２】
0005653718.tif 000003
【図３】
0005653718.tif 000004
【図４】
0005653718.tif 000005